(57)【要約】      （修正有）【課題】管理対象の冷凍機を第三者が操作する可能性を低減する冷凍機の管理システム、冷凍機の管理方法、及び端末ユニット用のプログラムを提供する。【解決手段】それぞれが輸送用コンテナ５に取り付けられた複数の冷凍機１０を、管理システム３０によって管理する。管理システムの無線ＬＡＮアダプタ３１は、各冷凍機に一つずつ設けられる。管理システムの管理者端末機３２は、許可エリアの内側だけにおいて、全ての無線ＬＡＮアダプタと無線通信できる。【選択図】図１
2020020564.tif 000002
【特許請求の範囲】
【請求項１】
貯蔵庫（5）に取り付けられた冷凍機（10）を管理する管理システムであって、
上記冷凍機（10）に設けられる無線通信ユニット（31）と、
上記無線通信ユニット（31）と無線通信する端末ユニット（32）とを備え、
上記端末ユニット（32）は、上記無線通信ユニット（31）に対して、該無線通信ユニット（31）に対応した上記冷凍機（10）を操作するための操作指令を送信できるように構成され、
上記無線通信ユニット（31）は、該無線通信ユニット（31）に対応する上記冷凍機（10）の制御器（11）に、受信した上記操作指令を伝送するように構成される一方、
上記端末ユニット（32）は、予め設定された許可エリア（90）の内側だけにおいて、上記無線通信ユニット（31）に上記操作指令を送信できるように構成される
ことを特徴とする管理システム。
【請求項２】
請求項１において、
上記端末ユニット（32）は、上記端末ユニット（32）の使用者が指定した位置を基準位置とし、該基準位置に基づいて上記許可エリア（90）を定めるように構成される
ことを特徴とする管理システム。
【請求項３】
請求項２において、
上記端末ユニット（32）は、上記基準位置の変更を禁止するように構成される
ことを特徴とする管理システム。
【請求項４】
請求項２において、
上記端末ユニット（32）は、上記端末ユニット（32）の使用者が特定人物であることを示す使用者識別情報が入力された場合にだけ、上記基準位置を変更できるように構成される
ことを特徴とする管理システム。
【請求項５】
請求項１乃至４のいずれか一つにおいて、
上記端末ユニット（32）は、上記端末ユニット（32）が予め設定された許可エリア（90）の内側に存在し、且つ上記端末ユニット（32）の使用者が特定人物であることを示す使用者識別情報が入力された場合にだけ、上記無線通信ユニット（31）に上記操作指令を送信できるように構成される
ことを特徴とする管理システム。
【請求項６】
貯蔵庫（5）に取り付けられた冷凍機（10）を、該冷凍機（10）に設けられる無線通信ユニット（31）と、上記無線通信ユニット（31）と無線通信する端末ユニット（32）とを用いて管理する管理方法であって、
上記端末ユニット（32）に、上記無線通信ユニット（31）に対して、該無線通信ユニット（31）に対応した上記冷凍機（10）を操作するための操作指令を送信させ、
上記無線通信ユニット（31）に、受信した上記操作指令を、上記無線通信ユニット（31）に対応する上記冷凍機（10）の制御器（11）に伝送させる一方、
上記端末ユニット（32）には、予め設定された許可エリア（90）の内側だけにおいて、上記無線通信ユニット（31）に対する上記操作指令の送信を認める
ことを特徴とする管理方法。
【請求項７】
請求項６において、
上記端末ユニット（32）に、上記端末ユニット（32）の使用者が指定した位置を基準位置とし、該基準位置に基づいて上記許可エリア（90）を定めさせる
ことを特徴とする管理方法。
【請求項８】
請求項７において、
上記端末ユニット（32）に、上記基準位置の変更を禁止させる
ことを特徴とする管理方法。
【請求項９】
請求項７において、
上記端末ユニット（32）の使用者が特定人物であることを示す使用者識別情報が上記端末ユニット（32）に入力された場合にだけ、上記基準位置の変更を認める
ことを特徴とする管理方法。
【請求項１０】
請求項６乃至９のいずれか一つにおいて、
上記端末ユニット（32）が予め設定された許可エリア（90）の内側に存在し、且つ上記端末ユニット（32）の使用者が特定人物であることを示す使用者識別情報が入力された場合にだけ、上記端末ユニット（32）に上記無線通信ユニット（31）への上記操作指令の送信を認める
ことを特徴とする管理方法。
【請求項１１】
貯蔵庫（5）に取り付けられた冷凍機（10）を管理する管理システム（30）を構成し、上記冷凍機（10）に設けられた無線通信ユニット（31）と無線通信する端末ユニット（32）にインストールされるプログラムであって、
上記冷凍機（10）を操作するための操作指令を、上記冷凍機（10）に対応した上記無線通信ユニット（31）へ送信する送信処理と、
上記プログラムがインストールされた上記端末ユニット（32）の位置が、予め設定された許可エリア（90）の内側であるか否かを判定する位置判定処理と、
上記送信処理の実行を、上記位置判定処理において上記端末ユニット（32）の位置が上記許可エリア（90）の内側であると判定された場合だけに制限するエリア制限処理とを、上記端末ユニット（32）に実行させるプログラム。
【請求項１２】
請求項１１において、
上記端末ユニット（32）の使用者が指定した位置を基準位置とし、該基準位置に基づいて上記許可エリア（90）を定めるエリア設定処理を、上記端末ユニット（32）に実行させるプログラム。
【請求項１３】
請求項１２において、
上記端末ユニット（32）の使用者が特定人物であることを示す使用者識別情報の入力を、上記端末ユニット（32）の使用者に要求する使用者識別情報要求処理と、
上記使用者識別情報が入力された場合にだけ、上記基準位置の変更を認める基準位置変更処理とを、上記端末ユニット（32）に実行させるプログラム。
【請求項１４】
請求項１１又は１２において、
上記端末ユニット（32）の使用者が特定人物であることを示す使用者識別情報の入力を上記端末ユニット（32）の使用者に要求する使用者識別情報要求処理を、上記端末ユニット（32）に実行させると共に、
上記送信処理の実行を、上記端末ユニット（32）が予め設定された許可エリアの内側に存在し、且つ上記使用者識別情報が入力された場合だけに制限する処理を、上記エリア制限処理として上記端末ユニット（32）に実行させるプログラム。
【発明の詳細な説明】
【技術分野】
【０００１】
本開示は、冷凍機の管理システム、冷凍機の管理方法、及び端末ユニット用のプログラムに関するものである。
【背景技術】
【０００２】
特許文献１には、冷凍コンテナの管理システムが開示されている。この管理システムでは、冷凍コンテナに設けられた冷凍機のコントローラと、作業者が操作する携帯端末機との間で無線通信が行われる。携帯端末機には、コントローラから送信された庫内温度や設定温度などの情報が表示される。また、作業者が携帯端末機を操作して設定温度などを入力すると、入力された設定温度が携帯端末機から冷凍機のコントローラへ送信される。
【先行技術文献】
【特許文献】
【０００３】
【特許文献１】特開２０１６−２１７６２１号公報
【発明の概要】
【発明が解決しようとする課題】
【０００４】
ここで、冷凍機と無線通信する携帯端末機は、冷凍コンテナの管理に従事する当事者以外の第三者の手に渡るおそれがある。そして、管理システムを構成する携帯端末機が、冷凍機に対する操作（例えば、設定温度の変更など）を無条件で実行できる場合は、第三者が、入手した携帯端末機を使って冷凍コンテナの冷凍機を操作する可能性がある。
【０００５】
本開示の目的は、管理対象の冷凍機を第三者が操作する可能性を低減することにある。
【課題を解決するための手段】
【０００６】
本開示の第１の態様は、貯蔵庫（5）に取り付けられた冷凍機（10）を管理する管理システムを対象とする。そして、上記冷凍機（10）に設けられる無線通信ユニット（31）と、  上記無線通信ユニット（31）と無線通信する端末ユニット（32）とを備え、上記端末ユニット（32）は、上記無線通信ユニット（31）に対して、該無線通信ユニット（31）に対応した上記冷凍機（10）を操作するための操作指令を送信できるように構成され、上記無線通信ユニット（31）は、該無線通信ユニット（31）に対応する上記冷凍機（10）の制御器（11）に、受信した上記操作指令を伝送するように構成される一方、上記端末ユニット（32）は、予め設定された許可エリア（90）の内側だけにおいて、上記無線通信ユニット（31）に上記操作指令を送信できるように構成されるものである。
【０００７】
第１の態様の管理システム（30）において、端末ユニット（32）は、無線通信ユニット（31）に対して操作指令を送信できるエリアが、許可エリアの内側に制限される。つまり、端末ユニット（32）は、操作指令を送信できるエリアが制限される。このため、冷凍機（10）の管理に従事する当事者以外の第三者が端末ユニット（32）を入手した場合でも、その第三者が入手した端末ユニット（32）を使って冷凍機（10）を操作する可能性を低減でき、管理システム（30）のセキュリティを高めることができる。
【０００８】
本開示の第２の態様は、上記第１の態様において、上記端末ユニット（32）は、上記端末ユニット（32）の使用者が指定した位置を基準位置とし、該基準位置に基づいて上記許可エリア（90）を定めるように構成されるものである。
【０００９】
第２の態様の管理システム（30）において、端末ユニット（32）は、端末ユニット（32）の使用者が指定した基準位置に基づいて許可エリア（90）を定める。そして、端末ユニット（32）は、許可エリア（90）の内側だけにおいて、無線通信ユニット（31）に操作指令を送信する。
【００１０】
本開示の第３の態様は、上記第２の態様において、上記端末ユニット（32）は、上記基準位置の変更を禁止するように構成されるものである。
【００１１】
第３の態様の管理システム（30）において、端末ユニット（32）は、基準位置の変更を受け付けない。このため、端末ユニット（32）を入手した第三者が基準位置を変更する可能性を低減できる。
【００１２】
本開示の第４の態様は、上記第２の態様において、上記端末ユニット（32）は、上記端末ユニット（32）の使用者が特定人物であることを示す使用者識別情報が入力された場合にだけ、上記基準位置を変更できるように構成されるものである。
【００１３】
第４の態様の管理システム（30）において、端末ユニット（32）は、使用者識別情報が入力された場合にだけ、基準位置の変更を受け入れる。このため、端末ユニット（32）を入手した第三者が基準位置を変更する可能性を低減できる。
【００１４】
本開示の第５の態様は、上記第１〜第４のいずれか一つの態様において、上記端末ユニット（32）は、上記端末ユニット（32）が予め設定された許可エリア（90）の内側に存在し、且つ上記端末ユニット（32）の使用者が特定人物であることを示す使用者識別情報が入力された場合にだけ、上記無線通信ユニット（31）に上記操作指令を送信できるように構成されるものである。
【００１５】
第５の態様の管理システム（30）において、端末ユニット（32）は、端末ユニット（32）が許可エリア（90）の内側に存在し、且つ端末ユニット（32）に使用者識別情報が入力された場合にだけ、無線通信ユニット（31）に操作指令を送信する。つまり、端末ユニット（32）は、操作指令を送信できるエリアが制限されると共に、操作指令を送信するために端末ユニット（32）を操作できる者が特定人物に制限される。このため、端末ユニット（32）を使って第三者が冷凍機（10）を操作する可能性を低減でき、管理システム（30）のセキュリティを高めることができる。
【００１６】
本開示の第６の態様は、貯蔵庫（5）に取り付けられた冷凍機（10）を、該冷凍機（10）に設けられる無線通信ユニット（31）と、上記無線通信ユニット（31）と無線通信する端末ユニット（32）とを用いて管理する管理方法を対象とする。そして、上記端末ユニット（32）に、上記無線通信ユニット（31）に対して、該無線通信ユニット（31）に対応した上記冷凍機（10）を操作するための操作指令を送信させ、上記無線通信ユニット（31）に、受信した上記操作指令を、上記無線通信ユニット（31）に対応する上記冷凍機（10）の制御器（11）に伝送させる一方、上記端末ユニット（32）には、予め設定された許可エリア（90）の内側だけにおいて、上記無線通信ユニット（31）に対する上記操作指令の送信を認めるものである。
【００１７】
第６の態様の管理方法において、端末ユニット（32）は、複数の無線通信ユニット（31）に対して操作指令を送信できるが、操作指令を送信できるエリアが許可エリア（90）の内側に制限される。つまり、端末ユニット（32）は、操作指令を送信できるエリアが制限される。このため、端末ユニット（32）を使って第三者が冷凍機（10）を操作する可能性を低減でき、管理システム（30）のセキュリティを高めることができる。
【００１８】
本開示の第７の態様は、上記第６の態様において、上記端末ユニット（32）に、上記端末ユニット（32）の使用者が指定した位置を基準位置とし、該基準位置に基づいて上記許可エリア（90）を定めさせるものである。
【００１９】
第７の態様の管理方法において、端末ユニット（32）は、端末ユニット（32）の使用者が指定した基準位置に基づいて許可エリア（90）を定める。そして、端末ユニット（32）は、許可エリア（90）の内側だけにおいて、無線通信ユニット（31）に操作指令を送信する。
【００２０】
本開示の第８の態様は、上記第７の態様において、上記端末ユニット（32）に、上記基準位置の変更を禁止させるものである。
【００２１】
第８の態様の管理方法において、端末ユニット（32）は、基準位置の変更を受け付けない。このため、端末ユニット（32）を入手した第三者が基準位置を変更する可能性を低減できる。
【００２２】
本開示の第９の態様は、上記第７の態様において、上記端末ユニット（32）の使用者が特定人物であることを示す使用者識別情報が上記端末ユニット（32）に入力された場合にだけ、上記基準位置の変更を認めるものである。
【００２３】
第９の態様の管理方法において、端末ユニット（32）は、使用者識別情報が入力された場合にだけ、基準位置の変更を受け入れる。このため、端末ユニット（32）を入手した第三者が基準位置を変更する可能性を低減できる。
【００２４】
本開示の第１０の態様は、上記第６〜第９のいずれか一つの態様において、上記端末ユニット（32）が予め設定された許可エリア（90）の内側に存在し、且つ上記端末ユニット（32）の使用者が特定人物であることを示す使用者識別情報が入力された場合にだけ、上記端末ユニット（32）に上記無線通信ユニット（31）への上記操作指令の送信を認めるものである。
【００２５】
第１０の態様の管理方法において、端末ユニット（32）は、第５の態様の管理システム（30）と同様に、操作指令を送信できるエリアが制限されると共に、操作指令を送信するために端末ユニット（32）を操作できる者が特定人に制限される。このため、端末ユニット（32）を使って第三者が冷凍機（10）を操作する可能性を低減でき、管理システム（30）のセキュリティを高めることができる。
【００２６】
本開示の第１１の態様は、貯蔵庫（5）に取り付けられた冷凍機（10）を管理する管理システム（30）を構成し、上記冷凍機（10）に設けられた無線通信ユニット（31）と無線通信する端末ユニット（32）にインストールされるプログラムを対象とする。そして、上記冷凍機（10）を操作するための操作指令を、上記冷凍機（10）に対応した上記無線通信ユニット（31）へ送信する送信処理と、上記プログラムがインストールされた上記端末ユニット（32）の位置が、予め設定された許可エリア（90）の内側であるか否かを判定する位置判定処理と、上記送信処理の実行を、上記位置判定処理において上記端末ユニット（32）の位置が上記許可エリア（90）の内側であると判定された場合だけに制限するエリア制限処理とを、上記端末ユニット（32）に実行させるものである。
【００２７】
第１１の態様のプログラムがインストールされた端末ユニット（32）は、エリア制限処理を実行する。このため、端末ユニット（32）は、無線通信ユニット（31）に対して操作指令を送信できるエリアが、許可エリア（90）の内側に制限される。従って、第１の態様と同様に、第三者が端末ユニット（32）を使って冷凍機（10）を操作する可能性を低減でき、管理システム（30）のセキュリティを高めることができる。
【００２８】
本開示の第１２の態様は、上記第１１の態様において、上記端末ユニット（32）の使用者が指定した位置を基準位置とし、該基準位置に基づいて上記許可エリア（90）を定めるエリア設定処理を、上記端末ユニット（32）に実行させるものである。
【００２９】
第１２の態様のプログラムがインストールされた端末ユニット（32）は、端末ユニット（32）の使用者が指定した基準位置に基づいて許可エリア（90）を定める。そして、端末ユニット（32）は、許可エリア（90）の内側だけにおいて、無線通信ユニット（31）に操作指令を送信する。
【００３０】
本開示の第１３の態様は、上記第１２の態様において、上記端末ユニット（32）の使用者が特定人物であることを示す使用者識別情報の入力を、上記端末ユニット（32）の使用者に要求する使用者識別情報要求処理と、上記使用者識別情報が入力された場合にだけ、上記基準位置の変更を認める基準位置変更処理とを、上記端末ユニット（32）に実行させるものである。
【００３１】
第１３の態様のプログラムがインストールされた端末ユニット（32）は、使用者識別情報が入力された場合にだけ、基準位置の変更を受け入れる。このため、端末ユニット（32）を入手した第三者が基準位置を変更する可能性を低減できる。
【００３２】
本開示の第１４の態様は、上記第１１又は第１２の態様において、上記端末ユニット（32）の使用者が特定人物であることを示す使用者識別情報の入力を上記端末ユニット（32）の使用者に要求する使用者識別情報要求処理を、上記端末ユニット（32）に実行させると共に、上記送信処理の実行を、上記端末ユニット（32）が予め設定された許可エリアの内側に存在し、且つ上記使用者識別情報が入力された場合だけに制限する処理を、上記エリア制限処理として上記端末ユニット（32）に実行させるものである。
【００３３】
第１４の態様のプログラムがインストールされた端末ユニット（32）は、第５の態様の管理システム（30）と同様に、操作指令を送信できるエリアが制限されると共に、操作指令を送信するために端末ユニット（32）を操作できる者が特定人に制限される。このため、端末ユニット（32）を使って第三者が冷凍機（10）を操作する可能性を低減でき、管理システム（30）のセキュリティを高めることができる。
【図面の簡単な説明】
【００３４】
【図１】図１は、実施形態の管理システムと、管理システムの管理対象である冷凍機が設けられたトレーラとを示すシステム構成図である。
【図２】図２は、実施形態の管理システムの管理対象である冷凍機が設けられたトレーラ、及びトレーラを牽引するトラクタの概略側面図である。
【図３】図３は、許可エリアの一例を示す地図である。
【図４】図４は、実施形態の管理システムの構成と、管理システムの管理対象である冷凍機の制御器の構成とを示すブロック図である。
【図５】図５は、実施形態の無線ＬＡＮアダプタの構成を示すブロック図である。
【図６】図６は、実施形態の管理者端末機の構成を示すブロック図である。
【図７】図７は、実施形態のドライバー端末機の構成を示すブロック図である。
【図８】図８は、実施形態の管理者端末機の動作を示すフロー図である。
【図９】図９は、実施形態の管理者端末機が表示するＧＰＳ情報取得画面を示す図である。
【図１０】図１０は、実施形態の管理者端末機が表示するパスワード入力画面を示す図である。
【図１１】図１１は、実施形態の管理者端末機が表示するトレーラ選択画面を示す図である。
【図１２】図１２は、冷凍機の作動中に実施形態の管理者端末機が表示するモニター画面を示す図である。
【図１３】図１３は、冷凍機の停止中に実施形態の管理者端末機が表示するモニター画面を示す図である。
【図１４】図１４は、実施形態の管理者端末機が表示する運転履歴取得画面を示す図である。
【図１５】図１５は、実施形態の管理者端末機が表示するドライバー認証画面を示す図である。
【図１６】図１６は、実施形態のドライバー端末機の動作を示すフロー図である。
【図１７】図１７は、実施形態のドライバー端末機が表示する許可情報取得画面を示す図である。
【図１８】図１８は、実施形態のドライバー端末機が表示するモニター画面を示す図である。
【発明を実施するための形態】
【００３５】
本実施形態は、複数台の冷凍機（10）を管理する管理システム（30）である。この管理システム（30）は、複数台の冷凍機（10）を管理するための管理方法を実行する。
【００３６】
−管理システムの管理対象−
図１に示すように、本実施形態の管理システム（30）は、四台の冷凍機（10a〜10d）を管理対象とする。なお、管理システム（30）によって管理される冷凍機（10）の台数は、単なる一例である。
【００３７】
〈冷凍機、輸送用コンテナ、トレーラ〉
図１に示すように、各冷凍機（10a〜10d）は、輸送用コンテナ（5a〜5d）に一台ずつ取り付けられる。つまり、第１冷凍機（10a）は第１輸送用コンテナ（5a）に取り付けられ、第２冷凍機（10b）は第２輸送用コンテナ（5b）に取り付けられ、第３冷凍機（10c）は第３輸送用コンテナ（5c）に取り付けられ、第４冷凍機（10d）は第４輸送用コンテナ（5d）に取り付けられる。輸送用コンテナ（5a〜5d）は、物品を貯蔵する貯蔵庫の一種である。
【００３８】
各輸送用コンテナ（5a〜5d）は、対応するトレーラ（2a〜2d）の車台に固定される。つまり、第１輸送用コンテナ（5a）は第１トレーラ（2a）に取り付けられ、第２輸送用コンテナ（5b）は第２トレーラ（2b）に取り付けられ、第３輸送用コンテナ（5c）は第３トレーラ（2c）に取り付けられ、第４輸送用コンテナ（5d）は第４トレーラ（2d）に取り付けられる。輸送用コンテナ（5a〜5d）は、トレーラ（2a〜2d）の車台に対して、容易には着脱できない状態で固定される。
【００３９】
各トレーラ（2a〜2d）には、ナンバープレート（3a〜3d）が取り付けられる。各トレーラ（2a〜2d）のナンバープレート（3a〜3d）には、そのトレーラ（2a〜2d）に固有の車両登録情報が記載される。
【００４０】
図２に示すように、各トレーラ（2a〜2d）は、個別にトラクタ（1）に連結され、トラクタ（1）に牽引されて走行する。
【００４１】
〈冷凍機の構成〉
図示は省略するが、各冷凍機（10a〜10d）は、冷凍サイクルを行う冷媒回路を備える。冷媒回路には、圧縮機と、凝縮器と、膨張弁と、蒸発器とが設けられる。また、冷凍機（10）は、凝縮器へ庫外空気を送る庫外ファンと、蒸発器へ庫内空気を送る庫内ファンとを備える。圧縮機を作動させると、冷媒回路において冷媒が循環し、蒸気圧縮冷凍サイクルが行われる。冷凍機（10）は、輸送用コンテナ（5）の庫内空気を吸い込んで蒸発器において冷却し、冷却した空気を輸送用コンテナ（5）の庫内空間へ吹き出す。
【００４２】
各冷凍機（10a〜10d）は、制御器（11）を備える。図４に示すように、各冷凍機（10a〜10d）の制御器（11）は、演算処理ユニット（12）と、メモリーユニット（16）と、通信ユニット（19）とを備える。各冷凍機（10a〜10d）の制御器（11）は、輸送用コンテナ（5）の庫内温度（庫内の気温）が設定温度となるように、対応する冷凍機（10a〜10d）の運転を制御する。
【００４３】
演算処理ユニット（12）は、例えば集積回路から成るマイクロプロセッサである。演算処理ユニット（12）は、圧縮機制御部（13）、膨張弁制御部（14）、及びファン制御部（15）として機能する。圧縮機制御部（13）は、冷凍機（10）の冷媒回路に設けられた圧縮機の回転速度を制御する。膨張弁制御部（14）は、冷凍機（10）の冷媒回路に設けられた膨張弁の開度を制御する。ファン制御部（15）は、冷凍機（10）に設けられた庫内ファン及び庫外ファンの回転速度を制御する。
【００４４】
メモリーユニット（16）は、例えば集積回路から成る半導体メモリーである。メモリーユニット（16）は、設定温度記憶部（17）及び運転履歴記憶部（18）として機能する。設定温度記憶部（17）は、輸送用コンテナ（5）の庫内温度の設定値（設定温度）を記憶する。運転履歴記憶部（18）は、輸送用コンテナ（5）の庫内温度に関するデータログを記憶する。このデータログは、冷凍機（10）の運転中における輸送用コンテナ（5）の庫内温度を所定の時間毎（例えば、３０分毎）に記録して得られたデータである。
【００４５】
また、メモリーユニット（16）は、そのメモリーユニット（16）を有する制御器（11）が設けられた冷凍機（10）を特定するための冷凍機識別情報を記憶する。このメモリーユニット（16）は、対応する冷凍機（10）が取り付けられた輸送用コンテナ（5）に付与されたコンテナ識別記号を、冷凍機識別情報を記憶する。コンテナ識別記号は、国際規格ＩＳＯ６３４６に基づいて、輸送用コンテナ（5）毎に個別に付与される記号である。
【００４６】
通信ユニット（19）は、後述する管理システム（30）の無線ＬＡＮアダプタ（31）と通信するためのユニットである。通信ユニット（19）は、信号線を介して無線ＬＡＮアダプタ（31）に接続し、無線ＬＡＮアダプタ（31）との間で有線通信を行う。
【００４７】
−管理システムの概要−
図１に示すように、管理システム（30）は、冷凍機（10）と同数の無線ＬＡＮアダプタ（31a〜31d）と、一台の管理者端末機（32）と、冷凍機（10）と同数のドライバー端末機（35a〜35d）とを備える。管理システム（30）は、複数台の冷凍機（10）を管理するための管理方法を、無線ＬＡＮアダプタ（31a〜31d）と、管理者端末機（32）と、ドライバー端末機（35a〜35d）とを用いて実行する。
【００４８】
〈無線ＬＡＮアダプタ〉
無線ＬＡＮアダプタ（31）は、管理者端末機（32）及びドライバー端末機（35）と無線通信を行う無線通信ユニットである。無線ＬＡＮアダプタ（31a〜31d）は、各冷凍機（10a〜10d）に一つずつ設けられる。つまり、第１無線ＬＡＮアダプタ（31a）は第１冷凍機（10a）に設けられ、第２無線ＬＡＮアダプタ（31b）は第２冷凍機（10b）に設けられ、第３無線ＬＡＮアダプタ（31c）は第３冷凍機（10c）に設けられ、第４無線ＬＡＮアダプタ（31d）は第４冷凍機（10d）に設けられる。
【００４９】
各無線ＬＡＮアダプタ（31a〜31d）は、対応する冷凍機（10a〜10d）の制御器（11）と有線通信を行う。詳しくは後述するが、各無線ＬＡＮアダプタ（31a〜31d）は、対応する冷凍機（10a〜10d）を操作するための操作指令を、管理者端末機（32）または対応するドライバー端末機（35a〜35d）から受信し、対応する冷凍機（10a〜10d）の制御器（11）へ伝送する。
【００５０】
〈管理者端末機〉
管理者端末機（32）は、無線ＬＡＮアダプタ（31）と無線通信を行う主端末ユニットである。この管理者端末機（32）は、管理者端末機用のアプリケーションプログラム（33）がインストールされたスマートフォンまたはタブレット端末である。管理者端末機（32）は、表示装置と入力装置を兼ねたタッチパネルディスプレイ（34）を備える。
【００５１】
管理者端末機（32）は、トレーラ（2）への荷物の積み込みやトレーラ（2）からの荷下ろしが行われる配送センター（91）において、トレーラ（2）の運行を管理する管理者によって使用されることが想定された端末機である。
【００５２】
管理者端末機（32）にインストールされたアプリケーションプログラム（33）は、管理者端末機（32）を全ての無線ＬＡＮアダプタ（31a〜31d）と無線通信可能とするように構成される。このため、管理者端末機（32）は、管理システム（30）が管理対象とする全ての冷凍機（10）に設けられた無線ＬＡＮアダプタ（31a〜31d）と無線通信できる。そして、管理者端末機（32）は、全ての無線ＬＡＮアダプタ（31a〜31d）に対して、各無線ＬＡＮアダプタ（31a〜31d）に対応する冷凍機（10a〜10d）を操作するための操作指令を送信可能である。
【００５３】
管理者端末機（32）は、各冷凍機（10a〜10d）を起動させる指令と、各冷凍機（10a〜10d）を停止させる指令と、各冷凍機（10a〜10d）の制御器（11）が記憶する設定温度を変更する指令とを、操作指令として無線ＬＡＮアダプタ（31a〜31d）に送信できる。
【００５４】
また、管理者端末機（32）にインストールされたアプリケーションプログラム（33）は、管理者端末機（32）が所定の許可エリア（90）内に位置している場合にだけ、管理者端末機（32）に所定の処理を実行させるように構成される。図３に示すように、通常は、配送センター（91）の全体を含むエリアが、許可エリア（90）に設定される。このため、管理者端末機（32）は、無線ＬＡＮアダプタ（31a〜31d）が発した通信用の電波を受信でき、更には管理者端末機（32）が許可エリア（90）内に位置する場合にだけ、無線ＬＡＮアダプタ（31a〜31d）との通信を行うことができる。
【００５５】
〈ドライバー端末機〉
ドライバー端末機（35）は、無線ＬＡＮアダプタ（31）と無線通信を行う副端末ユニットである。このドライバー端末機（35）は、ドライバー端末機用のアプリケーションプログラム（36）がインストールされたスマートフォンまたはタブレット端末である。ドライバー端末機（35）は、表示装置と入力装置を兼ねたタッチパネルディスプレイ（37）を備える。また、ドライバー端末機（35）は、レンズ部と撮像素子とを有するカメラユニット（38）を備える。カメラユニット（38）は、そのレンズ部がドライバー端末機（35）の背面（即ち、ディスプレイ（37）とは逆側の面）に露出する。
【００５６】
ドライバー端末機（35）は、トレーラ（2）を牽引するトラクタ（1）の運転者によって使用されることが想定された端末機である。
【００５７】
ドライバー端末機（35）にインストールされたアプリケーションプログラム（36）は、ドライバー端末機（35）を、そのドライバー端末機（35）に対応する一つの無線ＬＡＮアダプタ（31）とだけ無線通信可能とするように構成される。このため、各ドライバー端末機（35a〜35d）は、そのドライバー端末機（35a〜35d）を使用する運転者が担当するトレーラ（2）の冷凍機（10）に設けられた無線ＬＡＮアダプタ（31a〜31d）だけと無線通信できる。そして、各ドライバー端末機（35a〜35d）は、対応する一つの無線ＬＡＮアダプタ（31a〜31d）に対して、各無線ＬＡＮアダプタ（31a〜31d）に対応する冷凍機（10a〜10d）を操作するための操作指令を送信可能である。
【００５８】
従って、第１ドライバー端末機（35a）は、第１無線ＬＡＮアダプタ（31a）だけに対して、第１トレーラ（2a）の第１冷凍機（10a）を操作するための操作指令を送信可能である。また、第２ドライバー端末機（35b）は、第２無線ＬＡＮアダプタ（31b）だけに対して、第２トレーラ（2b）の第２冷凍機（10b）を操作するための操作指令を送信可能である。また、第３ドライバー端末機（35c）は、第３無線ＬＡＮアダプタ（31c）だけに対して、第３トレーラ（2c）の第３冷凍機（10c）を操作するための操作指令を送信可能である。また、第４ドライバー端末機（35d）は、第４無線ＬＡＮアダプタ（31d）だけに対して、第４トレーラ（2d）の第４冷凍機（10d）を操作するための操作指令を送信可能である。
【００５９】
各ドライバー端末機（35a〜35d）は、“対応する冷凍機（10a〜10d）の制御器（11）が記憶する設定温度”を変更する指令を、操作指令として無線ＬＡＮアダプタ（31a〜31d）に送信できる。管理者端末機（32）とは異なり、ドライバー端末機（35a〜35d）は、対応する冷凍機（10a〜10d）を起動させる指令と、冷凍機（10a〜10d）を停止させる指令とを、操作指令として無線ＬＡＮアダプタ（31a〜31d）に送信することができない。
【００６０】
また、ドライバー端末機（35）にインストールされたアプリケーションプログラム（36）は、管理者端末機（32）から許可を受けた後の所定の許可期間においてだけ、ドライバー端末機（35）を対応する無線ＬＡＮアダプタ（31）と通信可能とするように構成される。
【００６１】
ここで、トラクタ（1）の運転者によって使用されるドライバー端末機（35）は、トレーラ（2）を牽引するトラクタ（1）と共に、配送センター（91）から遠く離れた場所にまで移動する。このため、ドライバー端末機（35）にインストールされたアプリケーションプログラム（36）は、ドライバー端末機（35）が対応する無線ＬＡＮアダプタ（31）と無線通信できるエリアを限定しないように構成される。
【００６２】
−無線ＬＡＮアダプタ−
図５に示すように、無線ＬＡＮアダプタ（31）は、演算処理ユニット（40）と、メモリーユニット（45）と、通信ユニット（48）とを備える。無線ＬＡＮアダプタ（31）は、管理者端末機（32）及び対応するドライバー端末機（35）と、対応する冷凍機（10）の制御器（11）との間の情報の授受を仲介する。
【００６３】
演算処理ユニット（40）は、例えば集積回路から成るマイクロプロセッサである。演算処理ユニット（40）は、無線ＬＡＮアダプタ（31）にインストールされたプログラムを実行することによって、通信対象特定部（41）、操作指令伝送部（42）、運転情報伝送部（43）、及び運転履歴伝送部（44）として機能する。
【００６４】
メモリーユニット（45）は、例えば集積回路から成る半導体メモリーである。メモリーユニット（45）には、無線ＬＡＮアダプタ（31）にインストールされたプログラムが記録される。また、メモリーユニット（45）は、冷凍機識別情報記憶部（46）及び通信用情報記憶部（47）として機能する。
【００６５】
通信ユニット（48）は、管理者端末機（32）及び対応するドライバー端末機（35）と無線通信を行う通信モジュールである。また、通信ユニット（48）は、無線ＬＡＮアダプタ（31）に対応する冷凍機（10）の制御器（11）と有線通信を行うことができる。
【００６６】
〈通信対象特定部〉
通信対象特定部（41）は、通信ユニット（48）を、管理者端末機（32）とドライバー端末機（35）のうち管理者端末機（32）と優先的に通信させる。
【００６７】
具体的に、通信対象特定部（41）は、通信ユニット（48）が管理者端末機（32）と通信中にドライバー端末機（35）から接続要求を受けた場合、通信ユニット（48）にドライバー端末機（35）からの接続要求を拒否させる。また、通信対象特定部（41）は、通信ユニット（48）がドライバー端末機（35）と通信中に管理者端末機（32）から接続要求を受けた場合、通信ユニット（48）にドライバー端末機（35）との通信を遮断させて管理者端末機（32）と通信させる。
【００６８】
このように、通信対象特定部（41）は、通信ユニット（48）が管理者端末機（32）と通信していないときと、通信ユニット（48）に対して管理者端末機（32）が接続要求を送信していない状態において、通信ユニット（48）に対してドライバー端末機（35）との通信を許可する。
【００６９】
〈操作指令伝送部〉
操作指令伝送部（42）は、管理者端末機（32）又は対応するドライバー端末機（35）から受信した操作指令を、通信ユニット（48）から対応する冷凍機（10）の制御器（11）に対して送信する。
【００７０】
〈運転情報伝送部〉
運転情報伝送部（43）は、所定の時間（例えば、１分間）が経過する毎に、対応する冷凍機（10）の運転状態に関する運転情報を、対応する冷凍機（10）の制御器（11）から取得して管理者端末機（32）又は対応するドライバー端末機（35）へ送信する。本実施形態において、運転情報伝送部（43）は、対応する冷凍機（10）の制御器（11）が記憶する設定温度と、対応する冷凍機（10）が取り付けられた輸送用コンテナ（5）の庫内温度の測定値とを、運転情報として取得する。
【００７１】
〈運転履歴伝送部〉
運転履歴伝送部（44）は、管理者端末機（32）によって指定された冷凍機（10）から、その冷凍機（10）の制御器（11）の運転履歴記憶部（18）に記録された“輸送用コンテナ（5）の庫内温度に関するデータログ”を取得し、取得したデータログを管理者端末機（32）へ送信する。
【００７２】
〈冷凍機識別情報記憶部〉
冷凍機識別情報記憶部（46）は、無線ＬＡＮアダプタ（31）が取り付けられた冷凍機（10）を特定するための冷凍機識別情報を記憶する。冷凍機識別情報は、無線ＬＡＮアダプタ（31）を冷凍機（10）に取り付ける際に、冷凍機識別情報記憶部（46）に記録される。
【００７３】
本実施形態の冷凍機識別情報記憶部（46）は、無線ＬＡＮアダプタ（31）に対応する冷凍機（10）が取り付けられた輸送用コンテナ（5）に付与されたコンテナ識別記号と、その輸送用コンテナ（5）が搭載されたトレーラ（2）のナンバープレート（3）に記載された車両登録情報とを、冷凍機識別情報として記憶する。コンテナ識別記号は、冷凍機（10）の制御器（11）から無線ＬＡＮアダプタ（31）によって取得される。車両登録情報は、管理者端末機（32）から無線ＬＡＮアダプタ（31）によって取得される。
【００７４】
〈通信用情報記憶部〉
通信用情報記憶部（47）は、無線ＬＡＮアダプタ（31）を特定するための通信用情報を記憶する。この通信用情報は、管理者端末機（32）及びドライバー端末機（35）が無線ＬＡＮアダプタ（31）と通信するために必要な情報である。
【００７５】
具体的に、通信用情報記憶部（47）は、ＳＳＩＤ（Service Set Identifier）および暗号化キーを通信用情報として記憶する。ＳＳＩＤは、無線ＬＡＮのアクセスポイントを識別するための文字列である。通信用情報記憶部（47）は、その通信用情報記憶部（47）を有するメモリーユニット（45）を備えた無線ＬＡＮアダプタ（31）を識別するためのＳＳＩＤを記憶する。暗号化キーは、管理者端末機（32）及びドライバー端末機（35）が無線ＬＡＮアダプタ（31）と通信する際に必要なパスワードである。通信用情報記憶部（47）は、その通信用情報記憶部（47）を有するメモリーユニット（45）を備えた無線ＬＡＮアダプタ（31）について設定された暗号化キーを記憶する。
【００７６】
−管理者端末機の構成−
図６に示すように、管理者端末機（32）は、演算処理ユニット（50）と、メモリーユニット（60）と、通信ユニット（68）とを備える。管理者端末機（32）は、管理システム（30）を構成する全ての無線ＬＡＮアダプタ（31）と無線通信を行う。
【００７７】
演算処理ユニット（50）は、例えば集積回路から成るマイクロプロセッサである。演算処理ユニット（50）は、管理者端末機（32）にインストールされたアプリケーションプログラム（33）を実行することによって、位置情報取得部（51）、許可エリア設定部（52）、位置判定部（53）、使用者識別部（54）、操作指令部（55）、許可付与部（56）、運転情報取得部（57）、情報表示部（58）、及び運転履歴取得部（59）として機能する。
【００７８】
メモリーユニット（60）は、例えば集積回路から成る半導体メモリーである。メモリーユニット（60）には、管理者端末機（32）にインストールされたアプリケーションプログラム（33）が記録される。また、メモリーユニット（60）は、許可エリア記憶部（61）、位置情報記憶部（62）、通信用情報記憶部（63）、使用者識別情報記憶部（64）、冷凍機識別情報記憶部（65）、運転情報記憶部（66）、及び運転履歴記憶部（67）として機能する。
【００７９】
通信ユニット（68）は、無線ＬＡＮアダプタ（31）と無線通信を行う通信モジュールである。通信ユニット（68）は、管理者端末機（32）が通信可能な複数の無線ＬＡＮアダプタ（31）の中から、無線通信を行う一つの無線ＬＡＮアダプタ（31）を、メモリーユニット（60）が記憶するＳＳＩＤを用いて特定する。
【００８０】
〈位置情報取得部〉
位置情報取得部（51）は、管理者端末機（32）の位置を示す位置情報を取得する。この位置情報取得部（51）は、ＧＰＳ（Global Positioning System）衛星から受信した情報を利用して、管理者端末機（32）の位置（具体的には、管理者端末機（32）が存在する地点の緯度と経度）を特定する。このように、位置情報取得部（51）は、“管理者端末機（32）が存在する地点の緯度と経度”を“管理者端末機（32）の位置情報”として取得する。
【００８１】
位置情報取得部（51）は、所定の時間（例えば、１分間）が経過する毎に、“管理者端末機（32）の位置情報”を取得してメモリーユニット（60）の位置情報記憶部（62）に記録する。位置情報記憶部（62）に記録された“管理者端末機（32）の位置情報”は、位置情報取得部（51）が“管理者端末機（32）の位置情報”を取得する毎に更新される。
【００８２】
〈許可エリア設定部〉
許可エリア設定部（52）は、許可エリア（90）を定めるエリア設定処理を行う。許可エリア（90）は、管理者端末機（32）がアプリケーションプログラム（33）に基づく処理を実行できるエリアである。図３に示すように、本実施形態の許可エリア設定部（52）は、基準位置ＣＰを中心とする半径が基準半径Ｒａの円形の領域を、許可エリア（90）とする。
【００８３】
許可エリア設定部（52）は、管理者端末機（32）の使用者に対して、基準位置の特定を要求する。例えば、許可エリア設定部（52）は、「現在位置を基準位置に設定しますか？」というメッセージをディスプレイ（34）に表示する。そして、そのメッセージと共にディスプレイ（34）に表示された「ＯＫ」ボタンを管理者端末機（32）の使用者がタップすると、許可エリア設定部（52）は、その時点における管理者端末機（32）の位置を、基準位置として取得する。つまり、許可エリア設定部（52）は、その時点で位置情報取得部（51）が取得している“管理者端末機（32）が存在する地点の緯度と経度”を、“基準位置の緯度と経度”として取得する。
【００８４】
また、許可エリア設定部（52）は、管理者端末機（32）の使用者に対して、基準半径の入力を要求する。例えば、許可エリア設定部（52）は、ディスプレイ（34）に“基準半径の入力を管理者端末機（32）の使用者に促すメッセージ”を表示し、管理者端末機（32）の使用者によって入力された数値（例えば、５０ｍ）を基準半径として取得する。
【００８５】
許可エリア設定部（52）は、取得した基準位置および基準半径を、許可エリア（90）を特定するための許可エリア特定情報として、メモリーユニット（60）の許可エリア記憶部（61）に記録する。
【００８６】
〈位置判定部〉
位置判定部（53）は、“管理者端末機（32）の位置が許可エリア（90）の内側であるか否か”を判定する位置判定処理を行う。位置判定部（53）は、位置情報取得部（51）が“管理者端末機（32）の位置情報”を取得する毎に、位置判定処理を行う。
【００８７】
具体的に、位置判定部（53）は、メモリーユニット（60）の許可エリア記憶部（61）から許可エリア特定情報を読み出し、メモリーユニット（60）の位置情報記憶部（62）から“管理者端末機（32）の位置情報”を読み出す。そして、位置判定部（53）は、“管理者端末機（32）の位置”が“許可エリア特定情報によって特定した許可エリア（90）”の内側か否かを判断する。
【００８８】
また、位置判定部（53）は、エリア制限処理を行う。具体的に、位置判定部（53）は、“管理者端末機（32）の位置”が許可エリア（90）の内側であると判断した場合、管理者端末機（32）にアプリケーションプログラム（33）の実行を継続させる。一方、位置判定部（53）は、“管理者端末機（32）の位置”が許可エリア（90）の外側であると判断した場合、管理者端末機（32）にアプリケーションプログラム（33）の実行を終了させる。
【００８９】
〈使用者識別部〉
使用者識別部（54）は、“管理者端末機（32）の使用者が特定人物であることを示す使用者識別情報”の入力を“管理者端末機（32）の使用者”に要求する使用者識別情報要求処理を行う。具体的に、使用者識別部（54）は、後述するパスワード入力画面（105）をディスプレイ（34）に表示させ、管理者端末機（32）の使用者に対して、使用者識別情報であるパスワードの入力を促す。
【００９０】
使用者識別部（54）は、パスワード入力画面（105）において使用者が入力したパスワード（入力パスワード）と、メモリーユニット（60）の使用者識別情報記憶部（64）が記憶するパスワード（登録済みパスワード）とを比較する。入力パスワードが登録済みパスワードと一致する場合、使用者識別部（54）は、演算処理ユニット（50）にアプリケーションプログラム（33）の実行を継続させる。一方、入力パスワードが登録済みパスワードと一致しない場合、使用者識別部（54）は、演算処理ユニット（50）にアプリケーションプログラム（33）の実行を中断させ、登録済みパスワードと一致するパスワードが使用者によって入力されるまで待機する。
【００９１】
〈操作指令部〉
操作指令部（55）は、送信処理を行う。つまり、操作指令部（55）は、“冷凍機（10）を操作するための操作指令”を管理者端末機（32）の使用者が入力した場合に、入力された操作指令を無線ＬＡＮアダプタ（31）に送信する。
【００９２】
操作指令部（55）は、管理者端末機（32）の使用者によって指定された冷凍機（10）に対応する無線ＬＡＮアダプタ（31）に対し、その指定された冷凍機（10）についての操作指令を送信する。具体的に、操作指令部（55）は、各冷凍機（10a〜10d）を起動させる指令と、各冷凍機（10a〜10d）を停止させる指令と、各冷凍機（10a〜10d）の制御器（11）が記憶する設定温度を変更する指令とを、操作指令として無線ＬＡＮアダプタ（31a〜31d）に送信できる。
【００９３】
〈許可付与部〉
許可付与部（56）は、許可情報（95）をドライバー端末機（35）に与えるための許可処理を行う。許可情報（95）は、ドライバー端末機（35）に対して、一つの無線ＬＡＮアダプタ（31）との無線通信を許可するための情報である。許可付与部（56）は、許可情報（95）を作成してディスプレイ（34）に表示させる処理を、許可処理として行う。
【００９４】
許可付与部（56）は、管理者端末機（32）の使用者によって特定された冷凍機（10）に設けられた無線ＬＡＮアダプタ（31）について、その無線ＬＡＮアダプタ（31）との通信をドライバー端末機（35）に許可するための許可情報を作成する。許可付与部（56）は、“管理者端末機（32）の使用者によって特定された冷凍機（10）”に設けられた無線ＬＡＮアダプタ（31）についての通信用情報を、メモリーユニット（60）から読み出す。
【００９５】
通信用情報は、メモリーユニット（60）の通信用情報記憶部（63）が記憶するＳＳＩＤおよび暗号化キーである。この通信用情報は、“管理者端末機（32）によって許可情報（95）を与えられるドライバー端末機（35）”が対応する無線ＬＡＮアダプタ（31）と無線通信を行うために必要な情報である。
【００９６】
許可付与部（56）は、メモリーユニット（60）から読み出した一つの無線ＬＡＮアダプタ（31）についての通信用情報と、その時の時刻とを並べることによって、許可情報（95）を作成する。許可情報（95）は、一つの無線ＬＡＮアダプタ（31）についてのＳＳＩＤ及び暗号化キーと、許可付与部（56）が許可情報（95）を作成する処理を行った時刻とを、所定の順番で並べた情報である。
【００９７】
許可付与部（56）は、作成した許可情報を暗号化し、暗号化した許可情報（95）をマトリックス型二次元コードに変換する。本実施形態の許可付与部（56）は、暗号化した許可情報（95）を、国際規格ＩＳＯ／ＩＥＣ１８００４に規定されたＱＲコード（登録商標）に変換する。そして、許可付与部（56）は、ＱＲコードに変換した許可情報（95）を、管理者端末機（32）のディスプレイ（34）に表示する。
【００９８】
〈運転情報取得部〉
運転情報取得部（57）は、運転情報取得処理を行う。この運転情報取得部（57）は、管理者端末機（32）が通信可能な全ての無線ＬＡＮアダプタ（31）から、各無線ＬＡＮアダプタ（31）に対応する冷凍機（10）の運転情報を取得する。
【００９９】
具体的に、運転情報取得部（57）は、各無線ＬＡＮアダプタ（31）の運転情報伝送部（43）を介して、各無線ＬＡＮアダプタ（31）に対応する冷凍機（10）から、その冷凍機（10）の制御器（11）が記憶する設定温度と、その冷凍機（10）が取り付けられた輸送用コンテナ（5）の庫内温度の測定値とを、運転情報として取得する。運転情報取得部（57）は、取得した運転情報を、メモリーユニット（60）の運転情報記憶部（66）に記録する。
【０１００】
運転情報取得部（57）は、所定の時間（例えば、１分間）が経過する毎に、各冷凍機（10）に関する運転情報を取得する。運転情報取得部（57）は、運転情報を取得する毎に、運転情報記憶部（66）に記録された運転情報を更新する。
【０１０１】
〈情報表示部〉
情報表示部（58）は、運転情報表示処理を行う。この情報表示部（58）は、メモリーユニット（60）の運転情報記憶部（66）に記録された各冷凍機（10）の運転情報を、管理者端末機（32）のディスプレイ（34）に表示する。更に、情報表示部（58）は、メモリーユニット（60）の冷凍機識別情報記憶部（65）に記録された各冷凍機（10）の冷凍機識別情報を、管理者端末機（32）のディスプレイ（34）に表示する。
【０１０２】
〈運転履歴取得部〉
運転履歴取得部（59）は、無線ＬＡＮアダプタ（31）に設けられた演算処理ユニット（40）の運転履歴伝送部（44）を介して、冷凍機（10）の制御器（11）の運転履歴記憶部（18）に記録された“輸送用コンテナ（5）の庫内温度に関するデータログ”を取得する。運転履歴取得部（59）は、取得したデータログを、メモリーユニット（60）の運転履歴記憶部（67）に記録する。
【０１０３】
〈許可エリア記憶部〉
許可エリア記憶部（61）は、許可エリア設定部（52）が取得した基準位置および基準半径を、許可エリア（90）を特定するための許可エリア特定情報として記憶する。
【０１０４】
なお、本実施形態の管理者端末機（32）にインストールされたアプリケーションプログラム（33）は、許可エリア記憶部（61）に記録された許可エリア特定情報を変更する処理を管理者端末機（32）に実行させない。従って、アプリケーションプログラム（33）を管理者端末機（32）から一旦消去してインストールし直さない限り、許可エリア記憶部（61）に記録された許可エリア特定情報を変更することはできない。
【０１０５】
〈位置情報記憶部〉
位置情報記憶部（62）は、位置情報取得部（51）が取得した“管理者端末機（32）の位置情報”を記憶する。上述したように、位置情報記憶部（62）に記録された“管理者端末機（32）の位置情報”は、位置情報取得部（51）が“管理者端末機（32）の位置情報”を取得する毎に、最新の“管理者端末機（32）の位置情報”に更新される。
【０１０６】
〈通信用情報記憶部〉
通信用情報記憶部（63）は、管理者端末機（32）が通信可能な各無線ＬＡＮアダプタ（31）に関するＳＳＩＤおよび暗号化キーを、通信用情報として記憶する。この通信用情報は、通信相手の無線ＬＡＮアダプタ（31）を特定するための情報である。
【０１０７】
管理者端末機（32）は、各無線ＬＡＮアダプタ（31）からＳＳＩＤおよび暗号化キーを取得する。通信用情報記憶部（63）は、管理者端末機（32）が取得したＳＳＩＤおよび暗号化キーを、そのＳＳＩＤおよび暗号化キーが付与された無線ＬＡＮアダプタ（31）と関連づけて記憶する。
【０１０８】
〈使用者識別情報記憶部〉
使用者識別情報記憶部（64）は、管理者端末機（32）の使用者が特定人物であることを示す使用者識別情報を記憶する。本実施形態の使用者識別情報記憶部（64）は、予め登録されたパスワードを記憶する。
【０１０９】
〈冷凍機識別情報記憶部〉
冷凍機識別情報記憶部（65）は、管理者端末機（32）が通信可能な各無線ＬＡＮアダプタ（31）に対応する冷凍機（10）の冷凍機識別情報を記憶する。
【０１１０】
ここで、管理者端末機（32）の演算処理ユニット（50）は、各無線ＬＡＮアダプタ（31）のメモリーユニット（45）の冷凍機識別情報記憶部（46）から、その無線ＬＡＮアダプタ（31）に対応する冷凍機（10）が取り付けられた輸送用コンテナ（5）に付与されたコンテナ識別記号を取得する処理を行う。
【０１１１】
また、管理者端末機（32）の演算処理ユニット（50）は、各輸送用コンテナ（5）が搭載されたトレーラ（2）のナンバープレート（3）に記載された車両登録情報を、管理者端末機（32）の使用者に入力させることによって取得する処理を行う。演算処理ユニット（50）が取得した車両登録情報は、各トレーラ（2）に対応する無線ＬＡＮアダプタ（31）に送信され、無線ＬＡＮアダプタ（31）のメモリーユニット（45）の冷凍機識別情報記憶部（46）に記録される。
【０１１２】
冷凍機識別情報記憶部（65）は、演算処理ユニット（50）の上述した処理（冷凍機識別情報取得処理）によって取得されたコンテナ識別記号および車両登録情報を、そのコンテナ識別記号および車両登録情報によって特定される冷凍機（10）に対応した無線ＬＡＮアダプタ（31）と関連づけて記憶する。
【０１１３】
〈運転情報記憶部〉
運転情報記憶部（66）は、運転情報取得部（57）が取得した各冷凍機（10）の運転情報を記憶する。運転情報記憶部（66）は、管理者端末機（32）が通信可能な各無線ＬＡＮアダプタ（31）に対応する冷凍機（10）と、各冷凍機（10）に関する運転情報とを関連づけて記憶する。上述したように、運転情報記憶部（66）に記録された“冷凍機（10）の運転情報”は、運転情報取得部（57）が“冷凍機（10）の運転情報”を取得する毎に、最新の“冷凍機（10）の運転情報”に更新される。
【０１１４】
〈運転履歴記憶部〉
運転履歴記憶部（67）は、運転履歴取得部（59）が取得した“輸送用コンテナ（5）の庫内温度に関するデータログ”を取得する。運転履歴記憶部（67）は、取得した“輸送用コンテナ（5）の庫内温度に関するデータログ”を、そのデータログの取得先である冷凍機（10）と関連づけて記憶する。
【０１１５】
−管理者端末機の動作−
管理者端末機（32）の動作について、図８のフロー図を参照しながら説明する。
【０１１６】
〈ステップＳＴ１１〉
管理者端末機（32）の使用者によってアプリケーションプログラム（33）の実行指示が入力されると、ステップＳＴ１１において、管理者端末機（32）がアプリケーションプログラム（33）の実行を開始する。
【０１１７】
〈ステップＳＴ１２〉
次のステップＳＴ１２において、管理者端末機（32）は、図９に示すＧＰＳ情報取得画面（100）をディスプレイ（34）に表示する。また、管理者端末機（32）では、位置情報取得部（51）が“管理者端末機（32）の位置情報”を取得する。具体的に、位置情報取得部（51）は、ＧＰＳ衛星から受信した情報を利用して、管理者端末機（32）の位置を特定する。位置情報取得部（51）による“管理者端末機（32）の位置情報”の取得が完了するまでの間、ディスプレイ（34）にはＧＰＳ情報取得画面（100）が表示され続ける。
【０１１８】
位置情報取得部（51）が“管理者端末機（32）の位置情報”を取得すると、位置判定部（53）が位置判定処理を行う。そして、“管理者端末機（32）の位置”が許可エリア（90）の内側であると位置判定部（53）が判断した場合、管理者端末機（32）は、次のステップＳＴ１３へ移行する。一方、“管理者端末機（32）の位置”が許可エリア（90）の外側であると位置判定部（53）が判断した場合、管理者端末機（32）は、アプリケーションプログラム（33）の実行を終了する。
【０１１９】
〈ステップＳＴ１３〉
次のステップＳＴ１３において、管理者端末機（32）は、使用者識別部（54）が使用者識別情報要求処理を行う。具体的に、使用者識別部（54）は、図１０に示すパスワード入力画面（105）をディスプレイ（34）に表示し、管理者端末機（32）の使用者に対して、パスワード（使用者識別情報）の入力を促す。また、使用者識別部（54）は、メモリーユニット（60）の使用者識別情報記憶部（64）が記憶するパスワード（登録済みパスワード）を読み出す。
【０１２０】
管理者端末機（32）の使用者が管理者端末機（32）にパスワードを入力すると、使用者識別部（54）は、使用者が入力したパスワード（入力パスワード）を、登録済みパスワードと対比する。そして、入力パスワードが登録済みパスワードと一致した場合に限り、使用者識別部（54）は、アプリケーションプログラム（33）の実行継続を許可する。つまり、管理者端末機（32）は、入力パスワードが登録済みパスワードと一致した場合にだけステップＳＴ１３からステップＳＴ１４へ移行し、それ以外の場合はステップＳＴ１３に留まる。
【０１２１】
〈ステップＳＴ１４〉
ステップＳＴ１４において、管理者端末機（32）は、図１１に示すトレーラ選択画面（110）をディスプレイ（34）に表示する。このトレーラ選択画面は、管理者端末機（32）の使用者が、管理者端末機（32）が無線通信を行う無線ＬＡＮアダプタ（31）を特定するための画面である。
【０１２２】
図１１に示すように、トレーラ選択画面（110）には、複数のトレーラ表示領域（111）と、一つの接続ボタン（113）とが設けられる。各トレーラ表示領域（111）には、各トレーラ（2）に対応する冷凍機（10）の冷凍機識別情報が表示される。つまり、各トレーラ表示領域（111）には、対応するトレーラ（2）の車両登録情報と、対応するトレーラ（2）に取り付けられた輸送用コンテナ（5）のコンテナ識別記号とが表示される。また、各トレーラ表示領域（111）には、チェックボックス（112）が一つずつ表示される。
【０１２３】
管理者端末機（32）の使用者が、選択しようとするトレーラ（2）に関する冷凍機識別情報が表示されたトレーラ表示領域（111）のチェックボックス（112）にチェックマークを入れて接続ボタン（113）をタップすると、管理者端末機（32）は、次のステップＳＴ１５に移行する。
【０１２４】
〈ステップＳＴ１５〉
ステップＳＴ１５では、管理者端末機（32）の通信ユニット（68）が、管理者端末機（32）の使用者によって選択されたトレーラ（2）に対応する冷凍機（10）に設けられた無線ＬＡＮアダプタ（31）との無線通信を開始する。その際、管理者端末機（32）では、演算処理ユニット（50）が、メモリーユニット（60）の通信用情報記憶部（63）から、管理者端末機（32）の使用者によって選択されたトレーラ（2）に対応する無線ＬＡＮアダプタ（31）に関するＳＳＩＤおよび暗号化キーを読み出す。そして、演算処理ユニット（50）は、通信用情報記憶部（63）から読み出したＳＳＩＤおよび暗号化キーを用いて、通信ユニット（68）に無線ＬＡＮアダプタ（31）との無線通信を開始させる。
【０１２５】
〈ステップＳＴ１６〉
次のステップＳＴ１６では、管理者端末機（32）の運転情報取得部（57）が、運転情報取得処理を行う。
【０１２６】
運転情報取得処理において、運転情報取得部（57）は、ステップＳＴ１５において無線通信を開始した無線ＬＡＮアダプタ（31）から、その無線ＬＡＮアダプタ（31）に対応する冷凍機（10）の運転情報を取得する。具体的に、運転情報取得部（57）は、ステップＳＴ１５において無線通信を開始した無線ＬＡＮアダプタ（31）に対応する冷凍機（10）の制御器（11）が記憶する設定温度と、その冷凍機（10）が取り付けられた輸送用コンテナ（5）の庫内温度の測定値とを、運転情報として取得する。
【０１２７】
運転情報取得部（57）は、取得した運転情報を、メモリーユニット（60）の運転情報記憶部（66）に記録する。
【０１２８】
〈ステップＳＴ１７〉
次のステップＳＴ１７において、管理者端末機（32）は、図１２に示すモニター画面（120）をディスプレイ（34）に表示する。
【０１２９】
図１２に示すように、モニター画面（120）には、トレーラ表示領域（121）と、運転情報表示領域（122）と、アラーム表示領域（123）とが設けられる。また、モニター画面（120）には、設定温度変更ボタン（124）が表示されると共に、冷凍機停止ボタン（125）と冷凍機起動ボタン（126）の一方が選択的に表示される。
【０１３０】
トレーラ表示領域（121）には、トレーラ選択画面（110）において管理者端末機（32）の使用者が選択したトレーラ（2）に対応する冷凍機（10）の冷凍機識別情報が表示される。つまり、トレーラ表示領域（121）には、トレーラ選択画面（110）において管理者端末機（32）の使用者が選択したトレーラ（2）の車両登録情報と、そのトレーラ（2）に取り付けられた輸送用コンテナ（5）のコンテナ識別記号とが表示される。
【０１３１】
運転情報表示領域（122）には、トレーラ選択画面（110）において管理者端末機（32）の使用者が選択したトレーラ（2）に対応する冷凍機（10）の運転情報が表示される。つまり、運転情報表示領域（122）には、トレーラ選択画面（110）において管理者端末機（32）の使用者が選択したトレーラ（2）に対応する冷凍機（10）の制御器（11）が記憶する設定温度と、その冷凍機（10）が取り付けられた輸送用コンテナ（5）の庫内温度の測定値とが表示される。
【０１３２】
アラーム表示領域（123）には、冷凍機（10）の運転状態について管理者端末機（32）の使用者に報知することが必要な情報（警告情報）が表示される。この警告情報としては、例えば、冷凍機（10）が停止中である旨の表示、輸送用コンテナ（5）の庫内温度が設定範囲（例えば、設定温度±０．５℃の範囲）を外れている旨の表示などが挙げられる。
【０１３３】
図１３は、アラーム表示領域（123）に“冷凍機（10）が停止中である旨の表示”が表示されているモニター画面（120）を示す。この場合、このモニター画面（120）には、冷凍機停止ボタン（125）に代えて、冷凍機起動ボタン（126）が表示される。
【０１３４】
管理者端末機（32）の使用者が設定温度変更ボタン（124）をタップすると、管理者端末機（32）は、設定温度の変更値の入力を受け付ける状態となる。管理者端末機（32）の使用者によって設定温度の変更値が入力されると、管理者端末機（32）の操作指令部（55）は、入力された設定温度の変更値を、“冷凍機（10）を操作するための操作指令”として無線ＬＡＮアダプタ（31）に送信する。その際、操作指令部（55）は、“トレーラ選択画面（110）において管理者端末機（32）の使用者が選択したトレーラ（2）”に取り付けられた冷凍機（10）に対応する無線ＬＡＮアダプタ（31）に対して、操作指令を送信する。
【０１３５】
無線ＬＡＮアダプタ（31）の操作指令伝送部（42）は、管理者端末機（32）から受信した操作指令を、その無線ＬＡＮアダプタ（31）に対応する冷凍機（10）の制御器（11）へ送信する。
【０１３６】
無線ＬＡＮアダプタ（31）から操作指令を受信した冷凍機（10）の制御器（11）は、操作指令として受信した“設定温度の変更値”を、更新後の設定温度としてメモリーユニット（16）の設定温度記憶部（17）に記録する。そして、制御器（11）は、冷凍機（10）が取り付けられた輸送用コンテナ（5）の庫内温度の測定値が、設定温度記憶部（17）に記録された“更新後の設定温度”となるように、冷凍機（10）の運転を制御する。
【０１３７】
管理者端末機（32）の使用者が冷凍機停止ボタン（125）をタップすると、管理者端末機（32）は、冷凍機を停止させるための信号（停止信号）を、“冷凍機（10）を操作するための操作指令”として無線ＬＡＮアダプタ（31）に送信する。また、管理者端末機（32）の使用者が冷凍機起動ボタン（126）をタップすると、管理者端末機（32）は、冷凍機を起動させるための信号（起動信号）を、“冷凍機（10）を操作するための操作指令”として無線ＬＡＮアダプタ（31）に送信する。
【０１３８】
無線ＬＡＮアダプタ（31）の操作指令伝送部（42）は、管理者端末機（32）から受信した操作指令を、その無線ＬＡＮアダプタ（31）に対応する冷凍機（10）の制御器（11）へ送信する。
【０１３９】
冷凍機（10）の制御器（11）は、無線ＬＡＮアダプタ（31）から停止信号を操作指令として受信した場合、冷凍機（10）を停止させる。また、冷凍機（10）の制御器（11）は、無線ＬＡＮアダプタ（31）から起動信号を操作指令として受信した場合、冷凍機（10）を起動させる。
【０１４０】
〈ステップＳＴ１８〉
管理者端末機（32）は、ステップＳＴ１７とステップＳＴ１８とステップＳＴ１９の間を相互に移行できる。ステップＳＴ１８において、管理者端末機（32）は、図１４に示す運転履歴取得画面（130）をディスプレイ（34）に表示する。
【０１４１】
図１４に示すように、運転履歴取得画面（130）には、トレーラ表示領域（121）と、運転履歴選択領域（131）とが設けられる。また、運転履歴取得画面（130）には、運転履歴取得ボタン（132）が表示される。
【０１４２】
トレーラ表示領域（121）には、モニター画面（120）と同様に、トレーラ選択画面（110）において管理者端末機（32）の使用者が選択したトレーラ（2）に対応する冷凍機（10）の冷凍機識別情報が表示される。運転履歴選択領域（131）には、取得する運転履歴の対象となる期間を選択するための選択肢が表示される。
【０１４３】
管理者端末機（32）の使用者が、運転履歴選択領域（131）において“運転履歴の対象期間”を選択して運転履歴取得ボタン（132）をタップすると、運転履歴取得部（59）が所定の処理を行う。つまり、運転履歴取得部（59）は、運転履歴選択領域（131）において選択された“運転履歴の対象期間”における冷凍機（10）の運転履歴を、“トレーラ選択画面（110）において管理者端末機（32）の使用者が選択したトレーラ（2）”に対応する冷凍機（10）の制御器（11）から取得する。運転履歴取得部（59）は、取得した冷凍機（10）の運転履歴を、メモリーユニット（60）の運転履歴記憶部（67）に記録する。
【０１４４】
〈ステップＳＴ１９〉
ステップＳＴ１９において、管理者端末機（32）は、図１５に示すドライバー認証画面（135）をディスプレイ（34）に表示する。ドライバー認証画面（135）は、ドライバー端末機（35）に許可情報（95）を与えるための画面である。
【０１４５】
図１５に示すように、ドライバー認証画面（135）には、トレーラ表示領域（121）と、許可情報表示領域（136）とが設けられる。また、ドライバー認証画面（135）には、トレーラ選択ボタン（137）が表示される。
【０１４６】
トレーラ表示領域（121）には、モニター画面（120）と同様に、“トレーラ選択画面（110）において管理者端末機（32）の使用者が選択したトレーラ（2）”に対応する冷凍機（10）の冷凍機識別情報が表示される。許可情報表示領域（136）には、許可付与部（56）によって作成されてＱＲコードに変換された許可情報（95）が表示される。
【０１４７】
管理者端末機（32）の使用者がトレーラ選択ボタン（137）をタップすると、管理者端末機（32）は、ステップＳＴ１４に戻って処理を継続する。
【０１４８】
−ドライバー端末機の構成−
図７に示すように、ドライバー端末機（35）は、演算処理ユニット（70）と、メモリーユニット（80）と、通信ユニット（85）とを備える。ドライバー端末機（35）は、そのドライバー端末機（35）に対応する一つの無線ＬＡＮアダプタ（31）と無線通信を行う。
【０１４９】
演算処理ユニット（70）は、例えば集積回路から成るマイクロプロセッサである。演算処理ユニット（70）は、管理者端末機（32）にインストールされたアプリケーションプログラム（36）を実行することによって、許可取得部（71）、許可期間設定部（72）、許可期間判定部（73）、操作指令部（74）、運転情報取得部（75）、及び情報表示部（76）として機能する。
【０１５０】
メモリーユニット（80）は、例えば集積回路から成る半導体メモリーである。メモリーユニット（80）には、ドライバー端末機（35）にインストールされたアプリケーションプログラム（36）が記録される。また、メモリーユニット（80）は、許可情報記憶部（81）、許可期間記憶部（82）、運転情報記憶部（83）、及び冷凍機識別情報記憶部（84）として機能する。
【０１５１】
通信ユニット（68）は、無線ＬＡＮアダプタ（31）と無線通信を行う通信モジュールである。通信ユニット（68）は、メモリーユニット（60）が記憶するＳＳＩＤを有する無線ＬＡＮアダプタ（31）（即ち、ドライバー端末機（35）に対応する一つの無線ＬＡＮアダプタ（31））だけと無線通信を行う。
【０１５２】
〈許可取得部〉
許可取得部（71）は、管理者端末機（32）から許可情報を取得するための許可取得処理を行う。
【０１５３】
上述したように、管理者端末機（32）の許可付与部（56）は、ＱＲコードに変換した許可情報（95）を、管理者端末機（32）のディスプレイ（34）に表示させる。許可取得部（71）は、管理者端末機（32）のディスプレイ（34）に表示された許可情報（95）を読み取って取得する処理を、許可取得処理として行う。
【０１５４】
具体的に、許可取得部（71）は、ドライバー端末機（35）のカメラユニット（38）を起動させ、ドライバー端末機（35）の使用者に対して、管理者端末機（32）のディスプレイ（34）に表示されたＱＲコード（許可情報（95））の読み取りを促す。ドライバー端末機（35）の使用者が、ドライバー端末機（35）のカメラユニット（38）のレンズ部を管理者端末機（32）のディスプレイ（34）にかざすと、カメラユニット（38）の撮像素子が、管理者端末機（32）に表示されたＱＲコードを撮像する。そして、許可取得部（71）は、カメラユニット（38）から取得したＱＲコードを復号することによって、許可情報（95）を取得する。
【０１５５】
上述したように、許可情報（95）は、通信用情報であるＳＳＩＤ及び暗号化キーと、管理者端末機（32）が許可情報（95）を作成する処理を行った時刻とを、所定の順番で並べた情報である。許可取得部（71）は、取得した許可情報（95）を、メモリーユニット（80）の許可情報記憶部（81）に記録する。
【０１５６】
〈許可期間設定部〉
許可期間設定部（72）は、ドライバー端末機（35）が無線ＬＡＮアダプタ（31）と通信できる許可期間を設定する。本実施形態の許可期間設定部（72）は、ドライバー端末機（35）が許可情報（95）を取得した時刻から２４時間を、許可期間とする。なお、本実施形態に示す許可期間の長さ（２４時間）は、単なる一例である。
【０１５７】
具体的に、許可期間設定部（72）は、許可取得部（71）が許可情報（95）を取得した時刻を、許可期間の開始時刻としてメモリーユニット（80）の許可期間記憶部（82）に記録する。また、許可期間設定部（72）は、許可期間の開始時刻から２４時間経過後の時刻を、許可期間の終了時刻としてメモリーユニット（80）の許可期間記憶部（82）に記録する。
【０１５８】
〈許可期間判定部〉
許可期間判定部（73）は、期間制限処理を行う。期間制限処理は、ドライバー端末機（35）と無線ＬＡＮアダプタ（31）の間の無線通信を許可期間内にだけ認める処理である。
【０１５９】
具体的に、許可期間判定部（73）は、現在時刻を取得する。また、許可期間判定部（73）は、メモリーユニット（80）の許可期間記憶部（82）から、許可期間の終了時刻を読み出す。そして、許可期間判定部（73）は、現在時刻を“許可期間の終了時刻”と比較する。許可期間判定部（73）は、現在時刻が“許可期間の終了時刻”よりも前であると判断した場合、ドライバー端末機（35）にアプリケーションプログラム（36）の実行を継続させる。一方、許可期間判定部（73）は、現在時刻が“許可期間の終了時刻”よりも後であると判断した場合、ドライバー端末機（35）によるアプリケーションプログラム（36）の実行を終了させる。
【０１６０】
〈操作指令部〉
操作指令部（74）は、送信処理を行う。つまり、操作指令部（74）は、“冷凍機（10）を操作するための操作指令”をドライバー端末機（35）の使用者が入力した場合に、入力された操作指令を無線ＬＡＮアダプタ（31）に送信する。この操作指令部（74）は、ドライバー端末機（35）が通信可能な一つの無線ＬＡＮアダプタ（31）に対し、その無線ＬＡＮアダプタ（31）に対応する冷凍機（10）についての操作指令を送信する。
【０１６１】
操作指令部（74）は、冷凍機（10）の制御器（11）が記憶する設定温度を変更する指令を、操作指令として無線ＬＡＮアダプタ（31）に送信できる。管理者端末機（32）の操作指令部（55）とは異なり、ドライバー端末機（35）の操作指令部（74）は、冷凍機（10）を起動させる指令と、冷凍機（10）を停止させる指令とを、無線ＬＡＮアダプタ（31）に送信できない。
【０１６２】
〈運転情報取得部〉
運転情報取得部（75）は、運転情報取得処理を行う。この運転情報取得部（75）は、ドライバー端末機（35）が通信可能な一つの無線ＬＡＮアダプタ（31）から、その無線ＬＡＮアダプタ（31）に対応する冷凍機（10）の運転情報を取得する。
【０１６３】
具体的に、運転情報取得部（75）は、無線ＬＡＮアダプタ（31）の運転情報伝送部（43）を介して、その無線ＬＡＮアダプタ（31）に対応する冷凍機（10）から、その冷凍機（10）の制御器（11）が記憶する設定温度と、その冷凍機（10）が取り付けられた輸送用コンテナ（5）の庫内温度の測定値とを、運転情報として取得する。運転情報取得部（75）は、取得した運転情報を、メモリーユニット（80）の運転情報記憶部（83）に記録する。
【０１６４】
運転情報取得部（75）は、所定の時間（例えば、１分間）が経過する毎に、冷凍機（10）に関する運転情報を取得する。運転情報取得部（75）は、運転情報を取得する毎に、運転情報記憶部（83）に記録された運転情報を更新する。
【０１６５】
〈情報表示部〉
情報表示部（76）は、識別情報表示処理を行う。情報表示部（76）は、メモリーユニット（80）の冷凍機識別情報記憶部（84）に記録された冷凍機（10）の冷凍機識別情報を、ドライバー端末機（35）のディスプレイ（37）に表示する。
【０１６６】
また、情報表示部（76）は、運転情報表示処理を行う。情報表示部（76）は、メモリーユニット（80）の運転情報記憶部（83）に記録された冷凍機（10）の運転情報を、ドライバー端末機（35）のディスプレイ（37）に表示する。
【０１６７】
〈許可情報記憶部〉
許可情報記憶部（81）は、許可取得部（71）が取得した許可情報（95）を記憶する。具体的に、許可情報記憶部（81）は、ドライバー端末機（35）が通信可能な無線ＬＡＮアダプタ（31）に関する通信用情報であるＳＳＩＤおよび暗号化キーと、管理者端末機（32）が許可情報（95）を作成する処理を行った時刻とを記憶する。許可情報記憶部（81）が記憶する通信用情報は、ドライバー端末機（35）が通信可能な一つの無線ＬＡＮアダプタ（31）を特定するための情報である。
【０１６８】
〈許可期間記憶部〉
許可期間記憶部（82）は、許可期間設定部（72）によって設定された許可期間を記憶する。具体的に、許可期間記憶部（82）は、許可期間設定部（72）が設定した許可期間の開始時刻と終了時刻とを記憶する。
【０１６９】
〈運転情報記憶部〉
運転情報記憶部（83）は、運転情報取得部（75）が取得した冷凍機（10）の運転情報を記憶する。具体的に、運転情報記憶部（83）は、ドライバー端末機（35）が通信可能な無線ＬＡＮアダプタ（31）に対応する冷凍機（10）に関する設定温度と、その冷凍機（10）が取り付けられた輸送用コンテナ（5）の庫内温度の測定値とを、運転情報として記憶する。上述したように、運転情報記憶部（83）に記録された“冷凍機（10）の運転情報”は、運転情報記憶部（83）が“冷凍機（10）の運転情報”を取得する毎に、最新の“冷凍機（10）の運転情報”に更新される。
【０１７０】
〈冷凍機識別情報記憶部〉
冷凍機識別情報記憶部（84）は、ドライバー端末機（35）が通信可能な無線ＬＡＮアダプタ（31）に対応する冷凍機（10）の冷凍機識別情報を記憶する。
【０１７１】
ここで、ドライバー端末機（35）の演算処理ユニット（70）は、冷凍機情報取得処理を行う。具体的に、この演算処理ユニット（70）は、対応する無線ＬＡＮアダプタ（31）のメモリーユニット（45）の冷凍機識別情報記憶部（46）から、その無線ＬＡＮアダプタ（31）に対応する冷凍機（10）が取り付けられた輸送用コンテナ（5）に付与されたコンテナ識別記号と、その輸送用コンテナ（5）が取り付けられたトレーラ（2）に付与された車両登録情報とを取得する。
【０１７２】
冷凍機識別情報記憶部（84）は、演算処理ユニット（70）の冷凍機情報取得処理によって取得されたコンテナ識別記号および車両登録情報を記憶する。
【０１７３】
−ドライバー端末機の動作−
ドライバー端末機（35）の動作について、図１６のフロー図を参照しながら説明する。
【０１７４】
〈ステップＳＴ２１〉
ドライバー端末機（35）の使用者によってアプリケーションプログラム（36）の実行指示が入力されると、ステップＳＴ２１において、ドライバー端末機（35）がアプリケーションプログラム（36）の実行を開始する。
【０１７５】
ドライバー端末機（35）がアプリケーションプログラム（36）の実行を開始すると、まず最初に、許可期間判定部（73）が期間制限処理を行う。現在時刻が“許可期間の終了時刻”よりも前であると許可期間判定部（73）が判断した場合、ドライバー端末機（35）は、ステップＳＴ２２へ移行する。一方、現在時刻が“許可期間の終了時刻”よりも後であると許可期間判定部（73）が判断した場合、ドライバー端末機（35）は、アプリケーションプログラム（36）の実行を終了する。
【０１７６】
〈ステップＳＴ２２〉
次のステップＳＴ２２において、ドライバー端末機（35）は、管理者端末機（32）から許可情報（95）を取得しているか否かを判断する。許可情報（95）を既に取得している場合、ドライバー端末機（35）は、ステップＳＴ２３へ移行する。一方、許可情報（95）を未だ取得していない場合、ドライバー端末機（35）は、ステップＳＴ２４へ移行する。
【０１７７】
〈ステップＳＴ２３〉
ステップＳＴ２３において、ドライバー端末機（35）の演算処理ユニット（70）は、メモリーユニット（80）の許可情報記憶部（81）が記憶する許可情報（95）を読み出す。つまり、この演算処理ユニット（70）は、ドライバー端末機（35）が通信可能な無線ＬＡＮアダプタ（31）に関する通信用情報であるＳＳＩＤおよび暗号化キーを、許可情報記憶部（81）から取得する。その後、ドライバー端末機（35）は、ステップＳＴ２６へ移行する。
【０１７８】
〈ステップＳＴ２４〉
ステップＳＴ２４において、ドライバー端末機（35）は、カメラユニット（38）を起動させ、図１７に示す許可情報取得画面（140）をディスプレイ（37）に表示する。許可情報取得画面（140）は、ドライバー端末機（35）のカメラユニット（38）が撮像している画像に、矩形状の読み取り枠（141）を重ねて表示した画面である。ドライバー端末機（35）の使用者が、管理者端末機（32）のディスプレイ（34）をドライバー端末機（35）のカメラユニット（38）で撮影し、管理者端末機（32）のディスプレイ（34）に表示されたＱＲコードが読み取り枠（141）の内側に入ると、許可取得部（71）がＱＲコードを読み込む。
【０１７９】
〈ステップＳＴ２５〉
次のステップＳＴ２５において、許可取得部（71）は、ステップＳＴ２４において読み込んだＱＲコードを復号することによって、許可情報（95）を取得する。上述したように、この許可情報（95）には、ドライバー端末機（35）が通信可能な無線ＬＡＮアダプタ（31）に関する通信用情報であるＳＳＩＤおよび暗号化キーが含まれる。許可取得部（71）は、取得した許可情報（95）を、メモリーユニット（80）の許可情報記憶部（81）に記録する。その後、ドライバー端末機（35）は、ステップＳＴ２６へ移行する。
【０１８０】
〈ステップＳＴ２６〉
ステップＳＴ２６では、ドライバー端末機（35）の通信ユニット（85）が、そのドライバー端末機（35）が取得した許可情報（95）によって特定された無線ＬＡＮアダプタ（31）との無線通信を開始する。つまり、ドライバー端末機（35）では、演算処理ユニット（70）が、許可情報記憶部（81）から読み出したＳＳＩＤおよび暗号化キーを用いて、通信ユニット（85）に無線ＬＡＮアダプタ（31）との無線通信を開始させる。
【０１８１】
無線ＬＡＮアダプタ（31）との無線通信を開始したドライバー端末機（35）では、演算処理ユニット（70）が冷凍機情報取得処理を行う。つまり、演算処理ユニット（70）は、対応する無線ＬＡＮアダプタ（31）から、その無線ＬＡＮアダプタ（31）に対応する冷凍機（10）が取り付けられた輸送用コンテナ（5）に付与されたコンテナ識別記号と、その輸送用コンテナ（5）が取り付けられたトレーラ（2）に付与された車両登録情報とを取得する。
【０１８２】
〈ステップＳＴ２７〉
次のステップＳＴ２７では、ドライバー端末機（35）の運転情報取得部（75）が、運転情報取得処理を行う。
【０１８３】
運転情報取得処理において、運転情報取得部（75）は、ステップＳＴ２６において無線通信を開始した無線ＬＡＮアダプタ（31）から、その無線ＬＡＮアダプタ（31）に対応する冷凍機（10）の運転情報を取得する。具体的に、運転情報取得部（75）は、ステップＳＴ２６において無線通信を開始した無線ＬＡＮアダプタ（31）に対応する冷凍機（10）の制御器（11）が記憶する設定温度と、その冷凍機（10）が取り付けられた輸送用コンテナ（5）の庫内温度の測定値とを、運転情報として取得する。
【０１８４】
運転情報取得部（75）は、取得した運転情報を、メモリーユニット（80）の運転情報記憶部（83）に記録する。
【０１８５】
〈ステップＳＴ２８〉
ステップＳＴ２８において、ドライバー端末機（35）は、演算処理ユニット（70）が冷凍機識別情報表示処理と運転情報表示処理とを行う。そして、ドライバー端末機（35）は、図１８に示すモニター画面（150）をディスプレイ（37）に表示する。
【０１８６】
図１８に示すように、モニター画面（150）には、トレーラ表示領域（151）と、運転情報表示領域（152）と、アラーム表示領域（153）とが設けられる。また、モニター画面（150）には、設定温度変更ボタン（154）が表示される。管理者端末機（32）のモニター画面（120）とは異なり、ドライバー端末機（35）のモニター画面（150）には、冷凍機停止ボタン（125）と冷凍機起動ボタン（126）のどちらも表示されない。
【０１８７】
トレーラ表示領域（151）には、ドライバー端末機（35）が通信可能な無線ＬＡＮアダプタ（31）に対応する冷凍機（10）の冷凍機識別情報が表示される。つまり、トレーラ表示領域（151）には、ドライバー端末機（35）に対応する冷凍機（10）が設けられた輸送用コンテナ（5）のコンテナ識別記号と、その輸送用コンテナ（5）が取り付けられたトレーラ（2）の車両登録情報とが表示される。この冷凍機識別情報は、ドライバー端末機（35）の演算処理ユニット（70）が冷凍機識別情報表示処理を行うことによって、トレーラ表示領域（151）に表示される。
【０１８８】
運転情報表示領域（152）には、ドライバー端末機（35）が通信可能な無線ＬＡＮアダプタ（31）に対応する冷凍機（10）の運転情報が表示される。つまり、運転情報表示領域（152）には、ドライバー端末機（35）が通信可能な無線ＬＡＮアダプタ（31）に対応する冷凍機（10）の制御器（11）が記憶する設定温度と、その冷凍機（10）が取り付けられた輸送用コンテナ（5）の庫内温度の測定値とが表示される。この運転情報は、ドライバー端末機（35）の演算処理ユニット（70）が運転情報表示処理を行うことによって、運転情報表示領域（152）に表示される。
【０１８９】
アラーム表示領域（153）には、冷凍機（10）の運転状態について管理者端末機（32）の使用者に報知することが必要な情報（警告情報）が表示される。この警告情報としては、例えば、冷凍機（10）が停止中である旨の表示、輸送用コンテナ（5）の庫内温度が設定範囲（例えば、設定温度±０．５℃の範囲）を外れている旨の表示などが挙げられる。
【０１９０】
ドライバー端末機（35）の使用者が設定温度変更ボタン（154）をタップすると、ドライバー端末機（35）は、設定温度の変更値の入力を受け付ける状態となる。ドライバー端末機（35）の使用者によって設定温度の変更値が入力されると、ドライバー端末機（35）の操作指令部（74）は、入力された設定温度の変更値を、“冷凍機（10）を操作するための操作指令”として無線ＬＡＮアダプタ（31）に送信する。
【０１９１】
無線ＬＡＮアダプタ（31）の操作指令伝送部（42）は、ドライバー端末機（35）から受信した操作指令を、その無線ＬＡＮアダプタ（31）に対応する冷凍機（10）の制御器（11）へ送信する。
【０１９２】
無線ＬＡＮアダプタ（31）から操作指令を受信した冷凍機（10）の制御器（11）は、操作指令として受信した“設定温度の変更値”を、更新後の設定温度としてメモリーユニット（16）の設定温度記憶部（17）に記録する。そして、制御器（11）は、冷凍機（10）が取り付けられた輸送用コンテナ（5）の庫内温度の測定値が、設定温度記憶部（17）に記録された“更新後の設定温度”となるように、冷凍機（10）の運転を制御する。
【０１９３】
−実施形態の特徴（１）−
本実施形態の管理システム（30）は、貯蔵庫である輸送用コンテナ（5）に取り付けられた冷凍機（10）を管理する管理システムであって、冷凍機（10）に設けられる無線ＬＡＮアダプタ（31）と、無線ＬＡＮアダプタ（31）と無線通信する管理者端末機（32）とを備える。管理者端末機（32）は、無線ＬＡＮアダプタ（31）に対して、その無線ＬＡＮアダプタ（31）に対応した冷凍機（10）を操作するための操作指令を送信できるように構成される。無線ＬＡＮアダプタ（31）は、その無線ＬＡＮアダプタ（31）に対応する冷凍機（10）の制御器（11）に、受信した操作指令を伝送するように構成される。管理者端末機（32）は、予め設定された許可エリア（90）の内側だけにおいて、無線ＬＡＮアダプタ（31）に操作指令を送信できるように構成される。
【０１９４】
本実施形態の管理システム（30）によって行われる管理方法は、貯蔵庫である輸送用コンテナ（5）に取り付けられた冷凍機（10）を、その冷凍機（10）に設けられる無線ＬＡＮアダプタ（31）と、無線ＬＡＮアダプタ（31）と無線通信する管理者端末機（32）とを用いて管理する管理方法である。この管理方法では、管理者端末機（32）に、無線ＬＡＮアダプタ（31）に対して、その無線ＬＡＮアダプタ（31）に対応した冷凍機（10）を操作するための操作指令を送信させる。また、この管理方法では、無線ＬＡＮアダプタ（31）に、受信した操作指令を、その無線ＬＡＮアダプタ（31）に対応する冷凍機（10）の制御器（11）に伝送させる。また、この管理方法において、管理者端末機（32）には、予め設定された許可エリア（90）の内側だけにおいて、無線ＬＡＮアダプタ（31）に対する操作指令の送信が認められる。
【０１９５】
本実施形態の管理システム（30）及び管理方法において、管理者端末機（32）は、無線ＬＡＮアダプタ（31）に対して操作指令を送信できるエリアが、許可エリアの内側に制限される。つまり、管理者端末機（32）は、操作指令を送信できるエリアが制限される。このため、冷凍機（10）の管理に従事する当事者以外の第三者が管理者端末機（32）を入手した場合でも、その第三者が入手した管理者端末機（32）を使って冷凍機（10）を操作する可能性を低減でき、管理システム（30）のセキュリティを高めることができる。
【０１９６】
−実施形態の特徴（２）−
本実施形態の管理システム（30）において、管理者端末機（32）は、管理者端末機（32）の使用者が指定した位置を基準位置とし、この基準位置に基づいて許可エリア（90）を定めるように構成される。
【０１９７】
本実施形態の管理システム（30）によって行われる管理方法は、管理者端末機（32）に、管理者端末機（32）の使用者が指定した位置を基準位置とし、この基準位置に基づいて許可エリア（90）を定めさせる。
【０１９８】
本実施形態の管理システム（30）及び管理方法において、管理者端末機（32）は、管理者端末機（32）の使用者が指定した基準位置に基づいて許可エリア（90）を定める。そして、管理者端末機（32）は、許可エリア（90）の内側だけにおいて、無線ＬＡＮアダプタ（31）に操作指令を送信する。
【０１９９】
−実施形態の特徴（３）−
本実施形態の管理システム（30）において、管理者端末機（32）は、基準位置の変更を禁止するように構成される。
【０２００】
本実施形態の管理システム（30）によって行われる管理方法は、管理者端末機（32）に、基準位置の変更を禁止させる。
【０２０１】
本実施形態の管理システム（30）及び管理方法において、管理者端末機（32）は、基準位置の変更を受け付けない。このため、盗難等によって管理者端末機（32）を入手した第三者が基準位置を変更する可能性を低減できる。
【０２０２】
−実施形態の特徴（４）−
本実施形態の管理システム（30）において、管理者端末機（32）は、管理者端末機（32）の使用者が特定人物であることを示す使用者識別情報が入力された場合にだけ、基準位置を変更できるように構成される。
【０２０３】
本実施形態の管理システム（30）によって行われる管理方法は、管理者端末機（32）の使用者が特定人物であることを示す使用者識別情報が管理者端末機（32）に入力された場合にだけ、基準位置の変更を認める。
【０２０４】
本実施形態の管理システム（30）及び管理方法において、管理者端末機（32）は、使用者識別情報が入力された場合にだけ、基準位置の変更を受け入れる。このため、盗難等によって管理者端末機（32）を入手した第三者が基準位置を変更する可能性を低減できる。
【０２０５】
−実施形態の特徴（５）−
本実施形態の管理システム（30）において、管理者端末機（32）は、管理者端末機（32）が予め設定された許可エリア（90）の内側に存在し、且つ管理者端末機（32）の使用者が特定人物であることを示す使用者識別情報が入力された場合にだけ、無線ＬＡＮアダプタ（31）に操作指令を送信できるように構成される。
【０２０６】
本実施形態の管理システム（30）によって行われる管理方法は、管理者端末機（32）が予め設定された許可エリア（90）の内側に存在し、且つ管理者端末機（32）の使用者が特定人物であることを示す使用者識別情報が入力された場合にだけ、管理者端末機（32）に無線ＬＡＮアダプタ（31）への操作指令の送信を認める。
【０２０７】
本実施形態の管理システム（30）及び管理方法において、管理者端末機（32）は、管理者端末機（32）が許可エリア（90）の内側に存在し、且つ管理者端末機（32）に使用者識別情報が入力された場合にだけ、無線ＬＡＮアダプタ（31）に操作指令を送信する。つまり、管理者端末機（32）は、操作指令を送信できるエリアが制限されると共に、操作指令を送信するために管理者端末機（32）を操作できる者が特定人物に制限される。このため、管理者端末機（32）を使って第三者が冷凍機（10）を操作する可能性を低減でき、管理システム（30）のセキュリティを高めることができる。
【０２０８】
−実施形態の特徴（６）−
本実施形態のアプリケーションプログラム（33）は、貯蔵庫である輸送用コンテナ（5）に取り付けられた冷凍機（10）を管理する管理システム（30）を構成し、冷凍機（10）に設けられた無線ＬＡＮアダプタ（31）と無線通信する管理者端末機（32）にインストールされるプログラムである。このアプリケーションプログラム（33）は、冷凍機（10）を操作するための操作指令を、冷凍機（10）に対応した無線ＬＡＮアダプタ（31）へ送信する送信処理と、プログラムがインストールされた管理者端末機（32）の位置が、予め設定された許可エリア（90）の内側であるか否かを判定する位置判定処理と、送信処理の実行を、位置判定処理において管理者端末機（32）の位置が許可エリア（90）の内側であると判定された場合だけに制限するエリア制限処理とを、管理者端末機（32）に実行させる。
【０２０９】
本実施形態のアプリケーションプログラム（33）がインストールされた管理者端末機（32）は、エリア制限処理を実行する。このため、管理者端末機（32）は、無線ＬＡＮアダプタ（31）に対して操作指令を送信できるエリアが、許可エリア（90）の内側に制限される。従って、本実施形態によれば、第三者が管理者端末機（32）を使って冷凍機（10）を操作する可能性を低減でき、管理システム（30）のセキュリティを高めることができる。
【０２１０】
−実施形態の特徴（７）−
本実施形態の管理者端末機（32）にインストールされたアプリケーションプログラム（33）は、管理者端末機（32）の使用者が指定した位置を基準位置とし、この基準位置に基づいて許可エリア（90）を定めるエリア設定処理を、管理者端末機（32）に実行させる。
【０２１１】
本実施形態のアプリケーションプログラム（33）がインストールされた管理者端末機（32）は、管理者端末機（32）の使用者が指定した基準位置に基づいて許可エリア（90）を定める。そして、管理者端末機（32）は、許可エリア（90）の内側だけにおいて、無線ＬＡＮアダプタ（31）に操作指令を送信する。
【０２１２】
−実施形態の特徴（８）−
本実施形態の管理者端末機（32）にインストールされたアプリケーションプログラム（33）は、管理者端末機（32）の使用者が特定人物であることを示す使用者識別情報の入力を、管理者端末機（32）の使用者に要求する使用者識別情報要求処理と、使用者識別情報が入力された場合にだけ、基準位置の変更を認める基準位置変更処理とを、管理者端末機（32）に実行させる。
【０２１３】
本実施形態のアプリケーションプログラム（33）がインストールされた管理者端末機（32）は、使用者識別情報が入力された場合にだけ、基準位置の変更を受け入れる。このため、盗難等によって管理者端末機（32）を入手した第三者が基準位置を変更する可能性を低減できる。
【０２１４】
−実施形態の特徴（９）−
本実施形態の管理者端末機（32）にインストールされたアプリケーションプログラム（33）は、“管理者端末機（32）の使用者が特定人物であることを示す使用者識別情報”の入力を“管理者端末機（32）の使用者”に要求する使用者識別情報要求処理を、管理者端末機（32）に実行させる。また、このアプリケーションプログラム（33）は、送信処理の実行を、“管理者端末機（32）が予め設定された許可エリアの内側に存在し、且つ使用者識別情報が入力された場合”だけに制限する処理を、エリア制限処理として管理者端末機（32）に実行させる。
【０２１５】
本実施形態のアプリケーションプログラム（33）がインストールされた管理者端末機（32）は、操作指令を送信できるエリアが制限されると共に、操作指令を送信するために管理者端末機（32）を操作できる者が特定人に制限される。このため、管理者端末機（32）を使って第三者が冷凍機（10）を操作する可能性を低減でき、管理システム（30）のセキュリティを高めることができる。
【０２１６】
−実施形態の変形例−
〈第１変形例〉
本実施形態の管理システム（30）において、管理者端末機（32）の使用者識別部（54）が用いる使用者識別情報は、パスワードに限定されない。つまり、管理者端末機（32）にインストールされたアプリケーションプログラム（33）は、パスワード以外の情報を使用者識別情報として用いるように構成されていてもよい。
【０２１７】
本変形例の使用者識別部（54）は、例えば使用者の指紋の形状または虹彩のパターン（模様）を、使用者識別情報として用いるように構成されていてもよい。この場合、使用者識別情報記憶部（64）は、予め登録された特定人物の指紋の形状または虹彩のパターン（模様）を“登録済み使用者識別情報”として記憶する。そして、使用者識別部（54）は、使用者の指紋の形状または虹彩のパターン（模様）を取得し、取得した指紋の形状または虹彩のパターン（模様）が“登録済み使用者識別情報”と一致するか否かを判断する。
【０２１８】
〈第２変形例〉
本実施形態の管理システム（30）において、管理者端末機（32）の許可エリア設定部（52）は、許可エリア（90）の変更を許容するように構成されていてもよい。つまり、管理者端末機（32）にインストールされたアプリケーションプログラム（33）は、許可エリア（90）を変更する処理を管理者端末機（32）に実行させるように構成されていてもよい。
【０２１９】
本変形例の管理者端末機（32）は、許可エリア設定部（52）が許可エリア（90）の変更を受け付ける前に、使用者識別部（54）に使用者識別情報要求処理を実行させる。この場合、許可エリア設定部（52）は、入力された使用者識別情報が登録済みの使用者識別情報と一致する場合にだけ、許可エリア（90）を変更するための処理を実行する。
【０２２０】
〈第３変形例〉
本実施形態の管理者端末機（32）の許可付与部（56）は、“トレーラ（2）の車両登録情報”と“輸送用コンテナ（5）のコンテナ識別記号”のどちらか一方だけを、冷凍機識別情報として許可情報（95）に含めるように構成されていてもよい。
【０２２１】
〈第４変形例〉
本実施形態の管理者端末機（32）は、トレーラ選択画面（110）の各トレーラ表示領域（111）と、モニター画面（120）、運転履歴取得画面（130）、及びドライバー認証画面（135）のトレーラ表示領域（121）との少なくとも一つにおいて、“トレーラ（2）の車両登録情報”と“輸送用コンテナ（5）のコンテナ識別記号”のどちらか一方だけを表示するように構成されていてもよい。
【０２２２】
〈第５変形例〉
本実施形態の管理者端末機（32）の位置情報取得部（51）は、ＧＰＳ衛星が発信する情報以外の情報に基づいて、管理者端末機（32）の位置を特定するように構成されていてもよい。本変形例の位置情報取得部（51）は、例えば、無線通信網（例えば、携帯電話網や公衆無線ＬＡＮ）の基地局が発信する位置情報を用いて、管理者端末機（32）の位置を特定するように構成されていてもよい。
【０２２３】
〈第６変形例〉
本実施形態の管理者端末機（32）の許可エリア設定部（52）が設定する許可エリア（90）の形状は、円形に限定されない。許可エリア（90）の形状は、例えば、矩形状であってもよいし、楕円形であってもよい。また、許可エリア設定部（52）は、管理者端末機（32）の使用者が冷凍機（10）を操作する必要のあるエリアそのもの（上記の実施形態では、配送センター（91）の敷地）を、許可エリア（90）に設定できるように構成されていてもよい。
【０２２４】
〈第７変形例〉
本実施形態の管理者端末機（32）の許可エリア設定部（52）は、基準半径を取得する処理が省略されていてもよい。この場合、許可エリア設定部（52）は、取得した基準位置に基づいて、予め定められた広さの許可エリア（90）を設定するように構成される。
【０２２５】
〈第８変形例〉
本実施形態の管理システム（30）において、管理者端末機（32）及びドライバー端末機（35）は、アプリケーションプログラムがインストールされた「コンピュータ」であればよく、スマートフォンまたはタブレット端末に限定されない。なお、この「コンピュータ」は、「計算の手順（アルゴリズム）を記述したプログラムを記憶し、記憶するプログラムに従って計算を実行する機械」を指す。従って、管理者端末機（32）及びドライバー端末機（35）は、例えばアプリケーションプログラムがインストールされたパーソナルコンピュータであってもよい。
【０２２６】
〈第９変形例〉
本実施形態の管理システム（30）および管理方法が管理対象とする冷凍機（10）の設置対象は、輸送用コンテナ（5）に限定されない。
【０２２７】
本実施形態の管理システム（30）および管理方法は、例えば、スーパーマーケットに設置された冷蔵ショーケース等の冷蔵庫を冷却する冷凍機や、冷蔵倉庫の庫内空気を冷却する冷凍機を管理対象としてもよい。この場合は、冷凍機に取り付けられた無線ＬＡＮアダプタ（31）と管理者端末機（32）とによって管理システム（30）を構成することができる。
【０２２８】
本実施形態の管理システム（30）および管理方法の管理対象が、スーパーマーケットに設置された冷蔵庫を冷却する冷凍機である場合、管理者端末機（32）が所定の処理を実行できる許可エリアは、例えばスーパーマーケットの店内に設定される。
【０２２９】
また、本実施形態の管理システム（30）および管理方法の管理対象が、冷蔵倉庫の庫内空気を冷却する冷凍機である場合、管理者端末機（32）が所定の処理を実行できる許可エリアは、例えば冷蔵倉庫の敷地内に設定される。
【０２３０】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０２３１】
以上説明したように、本開示は、冷凍機の管理システム、冷凍機の管理方法、及び端末ユニット用のプログラムについて有用である。
【符号の説明】
【０２３２】
5    輸送用コンテナ（貯蔵庫）
10    冷凍機
11    制御器
30    管理システム
31    無線ＬＡＮアダプタ（無線通信ユニット）
32    管理者端末機（端末ユニット）
90    許可エリア
95    許可情報
【図１】
2020020564.tif 000003
【図２】
2020020564.tif 000004
【図３】
2020020564.tif 000005
【図４】
2020020564.tif 000006
【図５】
2020020564.tif 000007
【図６】
2020020564.tif 000008
【図７】
2020020564.tif 000009
【図８】
2020020564.tif 000010
【図９】
2020020564.tif 000011
【図１０】
2020020564.tif 000012
【図１１】
2020020564.tif 000013
【図１２】
2020020564.tif 000014
【図１３】
2020020564.tif 000015
【図１４】
2020020564.tif 000016
【図１５】
2020020564.tif 000017
【図１６】
2020020564.tif 000018
【図１７】
2020020564.tif 000019
【図１８】
2020020564.tif 000020